(57)【要約】【課題】シャフトの状態にかかわらずハンドファーストの状態の実現を補助することが難しい。【解決手段】ゴルフクラブ用のシャフトが挿通される、ゴルフクラブ用のグリップである。前記グリップには、当該グリップに前記シャフトを装着する際に当該シャフトを挿通するための挿通穴が形成されており、前記挿通穴は、当該挿通穴の中心軸が前記グリップの中心軸に対して傾くよう形成されている。【選択図】図４
2020188857.tif 000002
【特許請求の範囲】
【請求項１】
ゴルフクラブ用のシャフトが挿通されるグリップであって、
前記グリップには、当該グリップに前記シャフトを装着する際に当該シャフトを挿通するための挿通穴が形成されており、
前記挿通穴は、当該挿通穴の中心軸が前記グリップの中心軸に対して傾くよう形成されている
グリップ。
【請求項２】
請求項１に記載のグリップであって、
前記挿通穴は、当該挿通穴に前記シャフトを挿通した際に、当該シャフトに連結されるヘッドの位置が、前記挿通穴が傾いていない場合と比較して後方に位置するように、傾いている
グリップ。
【請求項３】
請求項１または請求項２に記載のグリップであって、
前記挿通穴は、前記グリップの中心軸が水平な地面に対して垂直に位置しているときに、前記シャフトに連結されるヘッドが前記グリップの中心軸に対して後方に位置するよう傾いている
グリップ。
【請求項４】
請求項１から請求項３までのいずれか１項に記載のグリップであって、
前記挿通穴は、当該挿通穴の中心軸に対する前記グリップの中心軸の傾き角が１度から３度のうちのいずれかの値となるよう傾いている
グリップ。
【発明の詳細な説明】
【技術分野】
【０００１】
本発明は、ゴルフクラブ用のグリップに関する。
【背景技術】
【０００２】
ゴルフにおいてスイングを行う際には、グリップの位置（手の位置）がゴルフボールよりも目標方向側にある状態であるハンドファーストの状態でインパクトを行うことが望ましいと考えられている。
【０００３】
このようなハンドファーストの状態の実現を補助するための技術として、例えば、特許文献１がある。特許文献１には、屈折させたシャフトを有するゴルフ用パターが記載されている。特許文献１によると、シャフトを屈折させることで、自然とハンドファーストのフォームに構えることが可能となる。
【先行技術文献】
【特許文献】
【０００４】
【特許文献１】特開２０１２−１６５５５号公報
【発明の概要】
【発明が解決しようとする課題】
【０００５】
特許文献１に記載の技術の場合、シャフトを屈折させることが必要になる。そのため、屈折していないシャフトを用いた際に、ハンドファーストのフォームの実現を補助することが出来ない、という課題が生じていた。
【０００６】
そこで、本発明の目的は、シャフトの状態にかかわらずハンドファーストの状態の実現を補助することが難しい、という課題を解決するグリップを提供することにある。
【課題を解決するための手段】
【０００７】
かかる目的を達成するため本発明の一形態であるグリップは、
ゴルフクラブ用のシャフトが挿通されるグリップであって、
前記グリップには、当該グリップに前記シャフトを装着する際に当該シャフトを挿通するための挿通穴が形成されており、
前記挿通穴は、当該挿通穴の中心軸が前記グリップの中心軸に対して傾くよう形成されている
という構成をとる。
【０００８】
また、上記グリップでは、
前記挿通穴は、当該挿通穴に前記シャフトを挿通した際に、当該シャフトに連結されるヘッドの位置が、前記挿通穴が傾いていない場合と比較して後方に位置するように、傾いている
という構成をとる。
【０００９】
また、上記グリップでは、
前記挿通穴は、前記グリップの中心軸が水平な地面に対して垂直に位置しているときに、前記シャフトに連結されるヘッドが前記グリップの中心軸に対して後方に位置するよう傾いている
という構成をとる。
【００１０】
また、上記グリップでは、
前記挿通穴は、当該挿通穴の中心軸に対する前記グリップの中心軸の傾き角が１度から３度のうちのいずれかの値となるよう傾いている
という構成をとる。
【発明の効果】
【００１１】
本発明は、以上のように構成されることにより、シャフトの状態にかかわらずハンドファーストの状態の実現を補助可能なグリップを提供することが可能となる。
【図面の簡単な説明】
【００１２】
【図１】本発明の第１の実施形態におけるゴルフクラブの全体の形状の一例を示す図である。
【図２】図１で示すグリップの形状の一例を示す斜視図である。
【図３】図１で示すグリップの形状の一例を示す平面図である。
【図４】図１で示すグリップの形状の一例を示す断面図である。
【図５】挿通穴の傾きの一例を説明するための図である。
【図６】グリップの他の形状の一例を示す斜視図である。
【図７】グリップの他の形状の一例を示す平面図である。
【図８】グリップの他の形状の一例を示す断面図である。
【発明を実施するための形態】
【００１３】
［第１の実施形態］
本発明の第１の実施形態を図１から図７までを参照して説明する。図１は、ゴルフクラブの全体の形状の一例を示す図である。図２は、グリップ１０の形状の一例を示す斜視図である。図３は、グリップ１０の形状の一例を示す平面図である。図４は、グリップ１０の形状の一例を示す断面図である。図５は、挿通穴１１の傾きの一例を説明するための図である。図６から図８は、グリップの他の形状であるグリップ５０の形状の一例を示す図である。
【００１４】
本発明の第１の実施形態では、ゴルフクラブを構成するグリップ１０について説明する。後述するように、本実施形態において説明するグリップ１０には、シャフト２０をグリップ１０に装着する際にシャフト２０を挿通するための挿通穴１１が、グリップ１０の中心軸に対して傾いた状態で形成されている。このように挿通穴１１を傾けることで、図１で示すように、グリップ１０に対してシャフト２０が傾いた状態で挿通され、その結果、挿通穴１１が傾いていない場合と比較して、ヘッド４０の位置がゴルフボールを飛ばす方向とは反対方向へずれることになる。これにより、ゴルフクラブを構えた際に、グリップ１０の位置（手の位置）がゴルフボールよりも目標方向側にある状態であるハンドファーストの状態と自然になるようになる。つまり、シャフトの状態にかかわらずハンドファーストの状態を実現することが出来る。
【００１５】
なお、本実施形態においては、ゴルフクラブのうちヘッド４０のフェース面が形成されている側（図１の右側）を前方とし、ヘッド４０のフェース面が形成されている側とは反対側（図１の左側）を後方として説明する。ゴルフクラブは、前方に向かってゴルフボールを打ち出すことになる。この場合、挿通穴１１は、シャフト２０に連結されているヘッド４０の位置が、挿通穴１１が傾いていないときと比較して後方に位置するよう傾けて形成されている、ということも出来る。
【００１６】
図１は、本発明を適用するゴルフクラブの全体の形状の一例を示している。図１を参照すると、本発明を適用するゴルフクラブは、グリップ１０の他に、例えば、シャフト２０とネック部３０とヘッド４０となどのゴルフクラブとして一般的な構成を有している。図１で示すように、グリップ１０にはシャフト２０の一方の端部が挿通される。また、シャフト２０のうちグリップ１０に挿通する側とは反対側の端部には、ネック部３０を介してヘッド４０が連結されている。
【００１７】
本実施形態においては、グリップ１０を用いるゴルフクラブの種類は特に限定しない。グリップ１０を用いるゴルフクラブは、図１で示すようなドライバーであっても構わないし、フェアウェイウッド、アイアン、ウェッジ、パター、その他などであっても構わない。また、本実施形態においては、シャフト２０とネック部３０とヘッド４０との具体的な構成についても特に限定しない。シャフト２０とネック部３０とヘッド４０とは一般的な構成を用いて構わない。
【００１８】
図２は、グリップ１０の形状の一例を示す斜視図である。図３は、グリップ１０の形状の一例を示す平面図である。図４は、グリップ１０の形状の一例を示す断面図である。図２から図４で示すように、グリップ１０のうち一方の端部には、シャフト２０を挿通するための挿通穴１１が形成されている。換言すると、グリップ１０は、一方の端部側が塞がれた筒状の形状を有している。また、図２で示すように、グリップ１０のうち挿通穴１１が形成されていない側の端部は、挿通穴１１が形成されている側の端部よりも外径が大きくなるよう形成されている。
【００１９】
上述したように、本実施形態の場合、グリップ１０には、シャフト２０をグリップ１０に装着する際にシャフト２０を挿通するための挿通穴１１が、グリップ１０の中心を通る中心軸に対して傾いた状態で形成されている。そのため、図３で示すように、グリップ１０を平面方向から見た際には、挿通穴１１の底面の一部が見えることになる。
【００２０】
ここで、挿通穴１１について図４、図５を参照してより詳細に説明する。図４で示すように、挿通穴１１の中心を通る中心軸Ｔは、グリップ１０の中心を通る中心軸Ａに対して傾いている。具体的には、挿通穴１１の中心軸Ｔは、グリップ１０の中心軸Ａに対して、１度〜３度のうちのいずれかの値分、傾いている。例えば、挿通穴１１の中心軸Ｔは、グリップ１０の中心軸Ａに対して、１度〜３度のうちのいずれかの値分、傾いている。なお、上記値は例示であり、具体的に何度傾けるかは任意に設定して構わない。
【００２１】
また、図５で示すように、挿通穴１１は、グリップ１０の中心軸Ａが水平な地面に対して垂直に位置しているときに、ヘッド４０がグリップ１０の中心軸Ａに対して後方に位置するよう傾いている。つまり、挿通穴１１は、挿通穴１１の中心軸が傾いていないときよりも後方にヘッド４０が位置するよう傾いている。換言すると、挿通穴１１は、ゴルフクラブを構えた際に、グリップ１０の位置（手の位置）がゴルフボールよりも目標方向側にある状態であるハンドファーストの状態と自然となるように、グリップ１０の中心軸Ａに対して傾いている、ということが出来る。
【００２２】
このように、グリップ１０には、グリップ１０の中心軸Ａに対して傾いた状態で挿通穴１１が形成されている。これにより、シャフト２０は、グリップ１０に対して傾いた状態で挿通されることになる。その結果、挿通穴１１が傾いていない場合と比較して、ヘッド４０の位置がゴルフボールを飛ばす方向とは反対方向へずれることになる。これにより、ゴルフクラブを構えた際に、グリップ１０の位置（手の位置）がゴルフボールよりも目標方向側にある状態であるハンドファーストの状態と自然になるようになる。つまり、シャフトの状態にかかわらずハンドファーストの状態を実現することが出来る。
【００２３】
また、上記構成によると、ヘッド４０が後方へずれるため、インパクトの際によりロフトが立った状態となる。その結果、例えば、より飛距離を出すことなどが可能となる。
【００２４】
なお、上述したように、グリップ１０は、パターなどに用いることも出来る。そのため、グリップ１０の外形は、パター用のものであっても構わない。
【００２５】
図６から図８は、パター用のグリップであるグリップ５０の形状の一例を示している。具体的には、図６は、グリップ５０の形状の一例を示す斜視図である。図７は、グリップ５０の形状の一例を示す平面図である。図８は、グリップ５０の形状の一例を示す断面図である。図６から図８で示すように、グリップ１０と同様に、グリップ５０のうち一方の端部には、シャフト２０を挿通するための挿通穴５１が形成されている。また、グリップ５０の外形側面部には、平面部５２が形成されている。このように、本発明を適用するグリップの外形は、グリップ５０などのようにパター用の形状を有していても構わない。
【００２６】
なお、グリップ１０やグリップ５０の外形は、例示した以外のものであっても構わない。
【００２７】
また、図８で示すように、グリップ５０の中心軸Ａと挿通穴５１の中心軸Ｔとがグリップ５０の真ん中あたりで交わるように、挿通穴５１（挿通穴１１）を形成しても構わない。図４で示したように、グリップ１０の中心軸Ａと挿通穴１１の中心軸Ｔとが挿通穴１１の端部付近で交わるように、挿通穴１１（挿通穴５１）を形成しても構わない。このように、挿通穴１１や挿通穴５１の傾け方は、図４や図７で示した場合に限定されない。換言すると、中心軸Ａと中心軸Ｔが形成する角度（傾き角）の基準となる箇所は、グリップ１０やグリップ５０の端部付近でも構わないし、それ以外でも構わない。また、例えば、挿通穴１１や挿通穴５１は、グリップ１０やグリップ５１の厚みなどに応じて傾けられて構わない。
【００２８】
以上、上記各実施形態を参照して本願発明を説明したが、本願発明は、上述した実施形態に限定されるものではない。本願発明の構成や詳細には、本願発明の範囲内で当業者が理解しうる様々な変更をすることが出来る。
【符号の説明】
【００２９】
１０  グリップ
１１  挿通穴
２０  シャフト
３０  ネック部
４０  ヘッド
５０  グリップ
５１  挿通穴
５２  平面部
【図１】
2020188857.tif 000003
【図２】
2020188857.tif 000004
【図３】
2020188857.tif 000005
【図４】
2020188857.tif 000006
【図５】
2020188857.tif 000007
【図６】
2020188857.tif 000008
【図７】
2020188857.tif 000009
【図８】
2020188857.tif 000010